(57)【要約】【課題】複数のＲＦＩＤメディアに記憶された識別情報を一括で読み取った際に、複数のＲＦＩＤメディアのうち特定のＲＦＩＤメディアに記憶された識別情報を他のＲＦＩＤメディアに記憶された識別情報とは区別して認識する。【解決手段】ＩＤが記憶された複数のＩＤラベル１ａ〜１ｆのうちＩＤラベル１ｂを特定のＩＤラベルとし、ＩＤラベル１ｂのＩＤを他のＩＤラベル１ａ，１ｃ〜１ｆのＩＤとは区別して認識したい場合、ＩＤラベル１ａ〜１ｆがそれぞれ、外部からの接触の有無を示すフラグ情報を設定し、ＩＤラベル１ｂが外部から接触された状態で、リーダ４においてＩＤラベル１ａ〜１ｆからＩＤおよびフラグ情報を読み取り、外部からの接触が有りを示すフラグ情報“１”が読み取られたＩＤラベルから読み取られたＩＤを、特定のＩＤラベルとなるＩＤラベル１ｂのＩＤとして認識する。【選択図】図５
2019070946.tif 000002
【特許請求の範囲】
【請求項１】
複数のＲＦＩＤメディアに記憶された識別情報を一括で読み取った際に、複数のＲＦＩＤメディアのうち特定のＲＦＩＤメディアに記憶された識別情報を他のＲＦＩＤメディアに記憶された識別情報とは区別して認識するＲＦＩＤメディア認識方法であって、
前記複数のＲＦＩＤメディアはそれぞれ、外部からの接触状態に応じて接触の有無を示すフラグ情報を設定し、
前記特定のＲＦＩＤメディアが外部から接触された状態で、複数のＲＦＩＤメディアから識別情報およびフラグ情報を読み取り、
外部からの接触が有りを示すフラグ情報が読み取られたＲＦＩＤメディアから読み取られた識別情報を、前記特定のＲＦＩＤメディアの識別情報として認識する、ＲＦＩＤメディア認識方法。
【請求項２】
請求項１に記載のＲＦＩＤメディア認識方法において、
前記ＲＦＩＤメディアから識別情報を読み取るリーダが、前記ＲＦＩＤメディアに電力を供給する処理と、
前記ＲＦＩＤメディアが前記電力によって駆動した場合、前記ＲＦＩＤメディアが、その旨を示す応答信号を前記リーダに送信するとともに、外部からの接触状態に応じて前記フラグ情報を設定する処理と、
前記リーダが前記応答信号を受信した場合、前記ＲＦＩＤメディアから、当該ＲＦＩＤメディアに付与された識別情報と当該ＲＦＩＤメディアに設定されたフラグ情報とを読み取る処理とを有する、ＲＦＩＤメディア認識方法。
【発明の詳細な説明】
【技術分野】
【０００１】
本発明は、ＲＦＩＤメディアに記憶された識別情報を認識するＲＦＩＤメディア認識方法に関し、特に、複数のＲＦＩＤメディアに記憶された識別情報を一括で読み取る際に、特定のＲＦＩＤメディアに記憶された識別情報を他のＲＦＩＤメディアに記憶された識別情報とは区別して認識する技術に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載されたＲＦＩＤメディアがその優れた利便性から急速な普及が進みつつある。
【０００３】
このようなＲＦＩＤメディアにおいては、固有の識別情報となるＩＤが記憶されており、このＩＤが読み取られることでＲＦＩＤメディアが識別されることになるが、ＩＤが非接触状態にて読み取られることになるため、複数のＲＦＩＤメディアに記憶されたＩＤを一括で読み取ることができる（例えば、特許文献１参照）。
【先行技術文献】
【特許文献】
【０００４】
【特許文献１】再表２０１４−１８８６５３号公報
【発明の概要】
【発明が解決しようとする課題】
【０００５】
しかしながら、上述したように複数のＲＦＩＤメディアからＩＤを一括で読み取った場合、どのＲＦＩＤメディアからＩＤを読み取っているのかを認識することが困難であるという問題点がある。例えば、倉庫等に保管された物品にそれぞれＲＦＩＤメディアとなるＩＤラベルを貼付しておき、物品の棚卸しを行う際に複数のＩＤラベルからＩＤを一括で読み取った場合、読み取られたＩＤが、どの物品に貼付されたＩＤラベルから読み取られたものであるか認識することができない場合がある。
【０００６】
本発明は、上述したような従来の技術が有する問題点に鑑みてなされたものであって、複数のＲＦＩＤメディアに記憶された識別情報を一括で読み取った際に、複数のＲＦＩＤメディアのうち特定のＲＦＩＤメディアに記憶された識別情報を他のＲＦＩＤメディアに記憶された識別情報とは区別して認識することができるＲＦＩＤメディア認識方法を提供することを目的とする。
【課題を解決するための手段】
【０００７】
上記目的を達成するために本発明は、
複数のＲＦＩＤメディアに記憶された識別情報を一括で読み取った際に、複数のＲＦＩＤメディアのうち特定のＲＦＩＤメディアに記憶された識別情報を他のＲＦＩＤメディアに記憶された識別情報とは区別して認識するＲＦＩＤメディア認識方法であって、
前記複数のＲＦＩＤメディアはそれぞれ、外部からの接触状態に応じて接触の有無を示すフラグ情報を設定し、
前記特定のＲＦＩＤメディアが外部から接触された状態で、複数のＲＦＩＤメディアから識別情報およびフラグ情報を読み取り、
外部からの接触が有りを示すフラグ情報が読み取られたＲＦＩＤメディアから読み取られた識別情報を、前記特定のＲＦＩＤメディアの識別情報として認識する。
【０００８】
上記のように構成された本発明においては、識別情報が記憶された複数のＲＦＩＤメディアがそれぞれ、外部からの接触状態に応じて接触の有無を示すフラグ情報を設定するものにおいて、複数のＲＦＩＤメディアのうち特定のＲＦＩＤメディアに記憶された識別情報を他のＲＦＩＤメディアに記憶された識別情報とは区別して認識する場合、特定のＲＦＩＤメディアが外部から接触された状態で、複数のＲＦＩＤメディアから識別情報およびフラグ情報を読み取り、外部からの接触が有りを示すフラグ情報が読み取られたＲＦＩＤメディアから読み取られた識別情報を、特定のＲＦＩＤメディアの識別情報として認識することで、特定のＲＦＩＤメディアに記憶された識別情報が他のＲＦＩＤメディアに記憶された識別情報とは区別して認識されることになる。
【０００９】
その場合、まず、ＲＦＩＤメディアから識別情報を読み取るリーダが、ＲＦＩＤメディアに電力を供給し、ＲＦＩＤメディアが供給された電力によって駆動した場合、その旨を示す応答信号をリーダに送信するとともに、外部からの接触状態に応じてフラグ情報を設定し、リーダがＲＦＩＤメディアから応答信号を受信した場合、ＲＦＩＤメディアから、当該ＲＦＩＤメディアに付与された識別情報と当該ＲＦＩＤメディアに設定されたフラグ情報とを読み取ることで、リーダが、外部からの接触が有りを示すフラグ情報が読み取られたＲＦＩＤメディアから読み取られた識別情報を認識することとなり、それにより、特定のＲＦＩＤメディアに記憶された識別情報が他のＲＦＩＤメディアに記憶された識別情報とは区別して認識されることになる。
【発明の効果】
【００１０】
本発明によれば、識別情報が記憶された複数のＲＦＩＤメディアがそれぞれ、外部からの接触状態に応じて接触の有無を示すフラグ情報を設定するものであって、複数のＲＦＩＤメディアのうち、識別情報を認識したい特定のＲＦＩＤメディアが外部から接触された状態で、複数のＲＦＩＤメディアから識別情報およびフラグ情報を読み取り、外部からの接触が有りを示すフラグ情報が読み取られたＲＦＩＤメディアから読み取られた識別情報を、特定のＲＦＩＤメディアの識別情報として認識することにより、複数のＲＦＩＤメディアに記憶された識別情報を一括で読み取った際に、複数のＲＦＩＤメディアのうち特定のＲＦＩＤメディアに記憶された識別情報を他のＲＦＩＤメディアに記憶された識別情報とは区別して認識することができる。
【００１１】
例えば、まず、ＲＦＩＤメディアから識別情報を読み取るリーダが、ＲＦＩＤメディアに電力を供給し、ＲＦＩＤメディアが供給された電力によって駆動した場合、その旨を示す応答信号をリーダに送信するとともに、外部からの接触状態に応じてフラグ情報を設定し、リーダがＲＦＩＤメディアから応答信号を受信した場合、ＲＦＩＤメディアから、当該ＲＦＩＤメディアに付与された識別情報と当該ＲＦＩＤメディアに設定されたフラグ情報とを読み取ることで、リーダが、外部からの接触が有りを示すフラグ情報が読み取られたＲＦＩＤメディアから読み取られた識別情報を認識することとなり、それにより、特定のＲＦＩＤメディアに記憶された識別情報が他のＲＦＩＤメディアに記憶された識別情報とは区別して認識されることになる。
【図面の簡単な説明】
【００１２】
【図１】本発明のＲＦＩＤメディア認識方法に用いられるＲＦＩＤメディアの実施の一形態を示す図であり、（ａ）は表面図、（ｂ）は（ａ）に示したＡ−Ａ’断面図、（ｃ）はインレットシートの表面の構成を示す図である。
【図２】図１に示したＩＣチップの内部構成を示す機能ブロック図である。
【図３】図１および図２に示したＩＤラベルが認識される環境の一例を示す図である。
【図４】図１および図２に示したＩＤラベルの使用状態を示す図である。
【図５】図３に示した環境におけるＩＤラベルの具体的な処理を説明するためのフローチャートである。
【発明を実施するための形態】
【００１３】
以下に、本発明の実施の形態について図面を参照して説明する。
【００１４】
図１は、本発明のＲＦＩＤメディア認識方法に用いられるＲＦＩＤメディアの実施の一形態を示す図であり、（ａ）は表面図、（ｂ）は（ａ）に示したＡ−Ａ’断面図、（ｃ）はインレットシート１２の表面の構成を示す図である。図２は、図１に示したＩＣチップ２０の内部構成を示す機能ブロック図である。
【００１５】
本形態におけるＲＦＩＤメディアは図１に示すように、ベース基材１０と、接触用端子４０ａ，４０ｂと、アンテナ３０ａ，３０ｂと、ＩＣチップ２０とから構成されたＩＤラベル１である。
【００１６】
ベース基材１０は、紙や樹脂等の絶縁性材料からなるインレットシート１２が、紙や樹脂等の絶縁性材料からなる表面基材１１ａとラベル基材１１ｂとに挟み込まれて構成されている。これらインレットシート１２、表面基材１１ａおよびラベル基材１１ｂは、その外形が互いに等しいものとなっているが、表面基材１１ａは、その一辺から切り欠かれた切り欠き部１１ｃを有している。
【００１７】
接触用端子４０ａ，４０ｂは、導電性インク等の導電性材料を用いた印刷によって、インレットシート１２の表面基材１１ａとの積層面に一定の間隔を隔てて形成されており、その一部が切り欠き部１１ｃからＩＤラベル１の表面に表出している。接触用端子４０ａ，４０ｂは、一定の間隔を隔てて形成されているため、外部から接触されていない場合と外部から接触されている場合とで、接触用端子４０ａ，４０ｂ間の抵抗値が変化する。
【００１８】
アンテナ３０ａ，３０ｂは、導電性インク等の導電性材料を用いた印刷によって、インレットシート１２の表面基材１１ａとの積層面に、空隙を隔てて対向した頂点を給電点として二等辺三角形の形状に形成されている。アンテナ３０ａ，３０ｂは、外部に設けられたリーダから照射された電波に共振することで、非接触通信を行うためのものである。
【００１９】
なお、接触用端子４０ａ，４０ｂおよびアンテナ３０ａ，３０ｂは、印刷によって形成されたものに限らず、ベース基材１０上に積層された銅箔等の不要部分をエッチングによって除去して形成されたものであってもよい。
【００２０】
ＩＣチップ２０は、接触用端子４０ａ，４０ｂおよびアンテナ３０ａ，３０ｂに接続されてインレットシート１２上に搭載されている。ＩＣチップ２０は図２に示すように、通信部２１と、電源生成部２２と、抵抗値検出部２３と、記憶部２４と、制御部２５とを有している。なお、ＩＣチップ２０としては、例えば、ＮＸＰセミコンダクターズ製のＮＴＡＧ  ２１３  ＴＴを用いることが考えられる。
【００２１】
通信部２１は、アンテナ３０ａ，３０ｂを介して送受信される情報の変調や復調を行うことで、外部に設けられたリーダとの間にて非接触通信を可能とする。電源生成部２２は、外部に設けられたリーダから供給された電力を用いてＩＣチップ２０が駆動するための電源を生成する。抵抗値検出部２３は、接触用端子４０ａ，４０ｂ間の抵抗値を検出し、検出した抵抗値に応じたフラグ情報を設定する。記憶部２４は、ＩＣチップ２０が駆動するためのプログラム等を記憶しており、ＩＤラベル１に付与された識別情報となるＩＤを記憶したＩＤ領域２４ａと、抵抗値検出部２３にて設定されたフラグ情報を記憶した接触フラグ領域２４ｂとを有している。制御部２５は、これら通信部２１、電源生成部２２、抵抗値検出部２３および記憶部２４の動作を制御し、通信部２１を介した非接触通信時に、ＩＤ領域２４ａに記憶されたＩＤと、接触フラグ領域２４ｂに記憶されたフラグ情報とを通信部２１を介して送信する。
【００２２】
以下に、上記のように構成されたＩＤラベル１の認識方法について説明する。
【００２３】
図３は、図１および図２に示したＩＤラベル１が認識される環境の一例を示す図である。図４は、図１および図２に示したＩＤラベル１の使用状態を示す図である。
【００２４】
図１および図２に示したＩＤラベル１は、ＩＤ領域２４ａに記憶されたＩＤが複数のＩＤラベル１について一括で読み取られる場合がある。ところが、その場合、読み取られたＩＤが、どのＩＤラベルから読み取られたものであるかを認識することが困難である。例えば、図３に示すように、倉庫等に保管された物品３ａ〜３ｆのそれぞれに、図１および図２に示したＩＤラベル１と同一の構成を有するＩＤラベル１ａ〜１ｆを貼付しておき、物品３ａ〜３ｆの棚卸しを行う際にリーダ４にてＩＤラベル３ａ〜３ｆからＩＤを一括で読み取った場合、読み取られたＩＤが、物品３ａ〜３ｆのうちどの物品に貼付されたＩＤラベルから読み取られたものであるか認識することができない場合がある。
【００２５】
本形態においては、接触用端子４０ａ，４０ｂを設け、この接触用端子４０ａ，４０ｂ間の抵抗値の変化を用いてＩＤラベル１ａ〜１ｆのうち特定のＩＤラベルを認識できるものとしている。上述したように、接触用端子４０ａ，４０ｂは、一定の間隔を隔てて形成されているため、外部から接触されていない場合と外部から接触されている場合とで、接触用端子４０ａ，４０ｂ間の抵抗値が変化する。そこで、例えば、図３に示した環境にてＩＤラベル１ａ〜１ｆに記憶されたＩＤを一括で読み取る際、物品３ｂに貼付されたＩＤラベル１ｂから読み取られたＩＤを他のＩＤラベル１ａ，１ｃ〜１ｆから読み取られたＩＤとは区別して認識したい場合、図４（ａ）に示すように、ＩＤラベル１ａ〜１ｆのうちＩＤラベル１ｂのみ、接触用端子４０ａ，４０ｂに指２を接触させた状態でリーダとの間にて非接触通信を行い、ＩＤラベル１ａ〜１ｆのＩＤとともに、接触用端子４０ａ，４０ｂにおける抵抗値に応じて設定されたフラグ情報をＩＤラベル１ａ〜１ｆからリーダ４に送信することにより、ＩＤラベル１ａ〜１ｆのうちＩＤラベル１ｂから読み取られたＩＤを他のＩＤラベル１ａ，１ｃ〜１ｆから読み取られたＩＤとは区別して認識することができるようになる。
【００２６】
以下に、図３に示した環境におけるＩＤラベル１ａ〜１ｆの具体的な処理について説明する。
【００２７】
図５は、図３に示した環境におけるＩＤラベル１ａ〜１ｆの具体的な処理を説明するためのフローチャートである。
【００２８】
図３に示した環境において、物品３ａ〜３ｆに貼付されたＩＤラベル１ａ〜１ｆのうち、ＩＤラベル１ｂから読み取られたＩＤを他のＩＤラベル１ａ，１ｃ〜１ｆから読み取られたＩＤとは区別して認識したい場合、ＩＤラベル１ｂのみの接触用端子４０ａ，４０ｂに指２を接触させた状態でリーダ４をＩＤラベル１ａ〜１ｆとの通信可能範囲に配置すると、まず、リーダ４から照射される電波によってＩＤラベル１ａ〜１ｆに電源が供給される（ステップ１）。
【００２９】
すると、ＩＤラベル１ａ〜１ｆにおいては、リーダ４から照射された電波がアンテナ３０ａ，３０ｂにて受信され、電源生成部２２において、リーダ４から供給された電力を用いてＩＣチップ２０が駆動するための電源が生成され、ＩＤラベル１ａ〜１ｆが駆動する（ステップ２）。
【００３０】
ＩＤラベル１ａ〜１ｆにおいては、駆動すると、リーダ４から供給された電力によって駆動したことを示す応答信号が通信部２１を介して送信される（ステップ３）。
【００３１】
また、ＩＤラベル１ａ〜１ｆにおいては、抵抗値検出部２３において、接触用端子４０ａ，４０ｂ間の抵抗値が検出される（ステップ４）。ここで、接触用端子４０ａ，４０ｂ間の抵抗値は、上述したように、図４（ａ）に示したように指２が接触した状態と、図４（ｂ）に示したように指２が接触していない状態とで互いに異なるものとなる。
【００３２】
そこで、ＩＤラベル１ａ〜１ｆにおいては、例えば、接触用端子４０ａ，４０ｂに指２が接触した状態における抵抗値が検出された場合、制御部２５によって接触フラグ領域２４ｂにフラグ情報として“１”が設定され、また、接触用端子４０ａ，４０ｂに指２が接触していない状態における抵抗値が検出された場合、制御部２５によって接触フラグ領域２４ｂにフラグ情報として“０”が設定される（ステップ５）。なお、接触用端子４０ａ，４０ｂに指２が接触した状態における抵抗値と、接触用端子４０ａ，４０ｂに指２が接触していない状態における抵抗値は、それぞれ制御部２５にて基準値として予め設定されており、制御部２５においては、抵抗値検出部２３にて検出された抵抗値がその基準値と比較されることで、フラグ情報を設定することができる。このように、ＩＤラベル１ａ〜１ｆにおいては、駆動する度に接触用端子４０ａ，４０ｂ間の抵抗値が検出され、その抵抗値に応じたフラグ情報が設定されるので、接触用端子４０ａ，４０ｂ間の抵抗値に応じたフラグ情報が可逆的に変化することになり、それにより、ＩＤラベル１ａ〜１ｆを繰り返し使用することが可能となる。
【００３３】
本形態においては、ＩＤラベル１ａ〜１ｆのうちＩＤラベル１ｂのみの接触用端子４０ａ，４０ｂに指２を接触させた状態としているため、ＩＤラベル１ｂにおいては、接触フラグ領域２４ｂにフラグ情報として“１”が設定され、また、それ以外のＩＤラベル１ａ，１ｃ〜１ｆにおいては、接触フラグ領域２４ｂにフラグ情報として“０”が設定されることになる。
【００３４】
ＩＤラベル１ａ〜１ｆから送信された応答信号がリーダ４にて受信されると（ステップ６）、ＩＤとフラグ情報を要求する要求信号がリーダ４から送信される（ステップ７）。
【００３５】
リーダから送信された要求信号がＩＤラベル１ａ〜１ｆのアンテナ３０ａ，３０ｂを介して受信されると（ステップ８）、ＩＤラベル１ａ〜１ｆのそれぞれにおいて、ＩＤ領域２４ａに記憶されたＩＤと、接触フラグ領域２４ｂに設定されて記憶されたフラグ情報とが制御部２５によって読み出され、通信部２１およびアンテナ３０ａ，３０ｂを介して送信される（ステップ９）。
【００３６】
ＩＤラベル１ａ〜１ｆから送信されたＩＤおよびフラグ情報はリーダ４にて受信され（ステップ１０）、リーダ４において、フラグ情報“１”とともに受信されたＩＤが、ＩＤラベル１ｂのＩＤとして認識される（ステップ１１）。
【００３７】
このように本形態においては、ＩＤが記憶された複数のＩＤラベル１ａ〜１ｆのうちＩＤラベル１ｂを特定のＩＤラベルとし、ＩＤラベル１ｂのＩＤを他のＩＤラベル１ａ，１ｃ〜１ｆのＩＤとは区別して認識したい場合、ＩＤラベル１ａ〜１ｆがそれぞれ、接触用端子４０ａ，４０ｂに対する接触の有無を示すフラグ情報を設定し、ＩＤラベル１ｂの接触用端子４０ａ，４０ｂが接触された状態で、リーダ４においてＩＤラベル１ａ〜１ｆからＩＤおよびフラグ情報を読み取り、接触用端子４０ａ，４０ｂに対する接触が有りを示すフラグ情報“１”が読み取られたＩＤラベルから読み取られたＩＤを、特定のＩＤラベルとなるＩＤラベル１ｂのＩＤとして認識することで、ＩＤが付与された複数のＩＤラベルからＩＤを一括で読み取る場合に、複数のＩＤラベルのうち特定のＩＤラベルのＩＤを他のＩＤラベルのＩＤとは区別して認識することができる。
【００３８】
なお、本形態においては、インレットシート１２に形成された接触用端子４０ａ，４０ｂが、その一部が切り欠き部１１ｃからＩＤラベル１の表面に表出しているが、接触用端子４０ａ，４０ｂの全部が表出した構成としてもよい。また、ＩＤラベル１の表面ではなく、ＩＤラベル１の端面から接触用端子４０ａ，４０ｂが表出してもよいが、その場合、接触用端子４０ａ，４０ｂと指等との接触面積が狭くなるため、指等が接触用端子４０ａ，４０ｂに接触している状態と接触していない状態とで、接触用端子４０ａ，４０ｂ間の抵抗値があまり変化せず、制御部２５におけるフラグ情報の設定判断が困難となる虞がある。
【００３９】
また、本形態においては、接触用端子４０ａ，４０ｂがインレットシート１２の一方の面に形成されているが、それぞれがＩＣチップ２０に接続された構成であれば、接触用端子４０ａ，４０ｂのうち一方をインレットシート１２の一方の面に形成し、他方をインレットシート１２の他方の面に形成した構成としてもよい。
【００４０】
また、本形態においては、表面基材１１ａがその一辺から切り欠かれることで切り欠き部１１ｃが形成され、この切り欠き部１１ｃから接触用端子４０ａ，４０ｂの一部が表出しているが、表面基材１１ａの一部を円形等にくり抜き、そのくり抜いた部分から接触用端子４０ａ，４０ｂの一部を表出させてもよい。ただ、そのような構成とした場合、製造工程において、くり抜いた部分をバキューム等で吸い取る必要が生じるため、本形態のような切り欠き１１ｃを用いることで、生産性を向上させることができる。
【００４１】
また、本発明は、ＲＦＩＤメディアとして、インレットシート１２が表面基材１１ａとラベル基材１１ｂとに挟み込まれて構成されたベース基材１０を有するＩＤラベル１を例に挙げて説明したが、本発明のＲＦＩＤメディアとしては、インレットシートが紙等からなる２枚の表面基材に挟み込まれることでベース基材が構成されたＩＤタグや、インレットシートが２枚のカード基材に挟み込まれることでベース基材が構成されたＩＤカード等であってもよい。
【符号の説明】
【００４２】
１，１ａ〜１ｆ    ＩＤラベル
２    指
３ａ〜３ｆ    物品
４    リーダ
１０    ベース基材
１１ａ    表面基材
１１ｂ    ラベル基材
１１ｃ    切り欠き部
１２    インレットシート
２０    ＩＣチップ
２１    通信部
２２    電源生成部
２３    抵抗値検出部
２４    記憶部
２４ａ    ＩＤ領域
２４ｂ    接触フラグ領域
２５    制御部
３０ａ，３０ｂ    アンテナ
４０ａ，４０ｂ    接触用端子
【図１】
2019070946.tif 000003
【図２】
2019070946.tif 000004
【図３】
2019070946.tif 000005
【図４】
2019070946.tif 000006
【図５】
2019070946.tif 000007